(57)【要約】本発明は、２Ｄと３Ｄ表示モードを兼備する液晶表示パネル及び表示方法を提供する。前記液晶表示パネルの作動モードは２Ｄ表示モードと３Ｄ表示モードを含み、該３Ｄ表示モードはシャッター式３Ｄ表示モードと偏光式３Ｄ表示モードを含む。前記液晶表示パネルは複数個の画素（１０）を含み、各画素（１０）は、基板（１２）、データライン（１４）、走査ライン（１６）、共用電極ライン（１８）、２Ｄ／３Ｄ転換制御信号ライン（１９）及び画素ユニット（２０）を含む。前記画素ユニット（２０）は、第一〜第四スイッチ部品（２１、２２、２３、２４）、第一画素電極（２６）及び第二画素電極（２８）を含む。本発明は、配置される一本の２Ｄ／３Ｄ転換制御信号ラインによって各作動モードの間の変換を実現し、液晶表示パネルの広視野角を実現するときの色収差を改善し、かつ（液晶表示パネルの）開口率を増加させ、作動時のエネルギー消耗を低減することができる。
2016539367.tif 000002
【特許請求の範囲】
【請求項１】
２Ｄと３Ｄ表示モードを兼備する液晶表示パネルであって、前記液晶表示パネルの作動モードは２Ｄ表示モードと３Ｄ表示モードを含み、該３Ｄ表示モードはシャッター式３Ｄ表示モードと偏光式３Ｄ表示モードを含み、前記液晶表示パネルは複数個の画素を含み、各画素は、基板と、該基板上に配置されるデータラインと、前記基板上に配置される走査ラインと、前記基板上に配置される共用電極ラインと、前記基板上に配置される２Ｄ／３Ｄ転換制御信号ライン及び画素ユニットとを含み、前記画素ユニットは、第一〜第四スイッチ部品と、第一画素電極と、該第一画素電極と並列に設けられる第二画素電極とを含み、前記第一スイッチ部品はそれぞれ、走査ライン、データライン、第二スイッチ部品及び第二画素電極に電気接続され、前記第二スイッチ部品はそれぞれ、走査ライン、第一スイッチ部品、第一画素電極、第二画素電極及び第三スイッチ部品に電気接続され、前記第三スイッチ部品はそれぞれ、走査ライン、第二スイッチ部品、第一画素電極、第四スイッチ部品及び共用電極ラインに電気接続され、前記第四スイッチ部品はそれぞれ、２Ｄ／３Ｄ転換制御信号ライン、第二画素電極、第三スイッチ部品及び共用電極ラインに電気接続される２Ｄと３Ｄ表示モードを兼備する液晶表示パネル。
【請求項２】
前記２Ｄと３Ｄ表示モードを兼備する液晶表示パネルの表示モードが２Ｄ表示モードであるとき、該２Ｄと３Ｄ表示モードを兼備する液晶表示パネルのリスト周波数は６０ＨＺであり、前記２Ｄ／３Ｄ転換制御信号ラインの信号は恒常的な低レベルであり、
前記２Ｄと３Ｄ表示モードを兼備する液晶表示パネルの表示モードがシャッター式３Ｄ表示モードであるとき、該２Ｄと３Ｄ表示モードを兼備する液晶表示パネルのリスト周波数は１２０ＨＺであり、各前記画素は左右目のデータフレームを交替に表示し、前記２Ｄ／３Ｄ転換制御信号ラインの信号は恒常的な低レベルであり、
前記２Ｄと３Ｄ表示モードを兼備する液晶表示パネルの表示モードが偏光式３Ｄ表示モードであるとき、該２Ｄと３Ｄ表示モードを兼備する液晶表示パネルのリスト周波数は１２０ＨＺであり、前記２Ｄ／３Ｄ転換制御信号ラインの信号が高レベルと低レベルを具備する方形信号であることにより、第四スイッチ部品をオンさせ、第二画素電極の電圧を下げ、かつ第二表示区域が黒色を表示するようにすることによって遮蔽効果を奏する請求項１に記載の２Ｄと３Ｄ表示モードを兼備する液晶表示パネル。
【請求項３】
前記第一スイッチ部品は、第一制御端、第一入力端及び第一出力端を含み、前記第一制御端は走査ラインに電気接続され、前記第一入力端はデータラインに電気接続され、前記第一出力端はそれぞれ、第二スイッチ部品、第二画素電極に電気接続され、
前記第二スイッチ部品は、第二制御端、第二入力端及び第二出力端を含み、前記第二制御端は走査ラインに電気接続され、前記第二入力端はそれぞれ、第一出力端、第二画素電極に電気接続され、前記第二出力端はそれぞれ、第一画素電極、第三スイッチ部品に電気接続され、
前記第三スイッチ部品は、第三制御端、第三入力端及び第三出力端を含み、前記第三制御端は走査ラインに電気接続され、前記第三入力端はそれぞれ、第二出力端、第一画素電極に電気接続され、前記第三出力端はそれぞれ、第四スイッチ部品、共用電極ラインに電気接続され、
前記第四スイッチ部品は、第四制御端、第四入力端及び第四出力端を含み、前記第四制御端は２Ｄ／３Ｄ転換制御信号ラインに電気接続され、前記第四入力端は第二画素電極に電気接続され、前記第四出力端はそれぞれ、第三入力端、共用電極ラインに電気接続される請求項１に記載の２Ｄと３Ｄ表示モードを兼備する液晶表示パネル。
【請求項４】
前記第一〜第四スイッチ部品はそれぞれ、第一〜第四トランジスタであり、前記第一トランジスタは第一ゲート、第一ソース及び第一ドレインを含み、前記第二トランジスタは第二ゲート、第二ソース及び第二ドレインを含み、前記第三トランジスタは第三ゲート、第三ソース及び第三ドレインを含み、前記第四トランジスタは第四ゲート、第四ソース及び第四ドレインを含み、前記第一〜第四制御端はそれぞれ第一〜第四ゲートであり、前記第一〜第四入力端はそれぞれ第一〜第四ソースであり、前記第一〜第四出力端はそれぞれ第一〜第四ドレインである請求項３に記載の２Ｄと３Ｄ表示モードを兼備する液晶表示パネル。
【請求項５】
前記２Ｄと３Ｄ表示モードを兼備する液晶表示パネルは８ドメインを採用する請求項１に記載の２Ｄと３Ｄ表示モードを兼備する液晶表示パネル。
【請求項６】
２Ｄと３Ｄ表示モードを兼備する液晶表示パネルであって、前記液晶表示パネルの作動モードは２Ｄ表示モードと３Ｄ表示モードを含み、該３Ｄ表示モードはシャッター式３Ｄ表示モードと偏光式３Ｄ表示モードを含み、前記液晶表示パネルは複数個の画素を含み、各画素は、基板と、該基板上に配置されるデータラインと、前記基板上に配置される走査ラインと、前記基板上に配置される共用電極ラインと、前記基板上に配置される２Ｄ／３Ｄ転換制御信号ライン及び画素ユニットとを含み、前記画素ユニットは、第一〜第四スイッチ部品と、第一画素電極と、該第一画素電極と並列に設けられる第二画素電極とを含み、前記第一スイッチ部品はそれぞれ、走査ライン、データライン、第二スイッチ部品及び第二画素電極に電気接続され、前記第二スイッチ部品はそれぞれ、走査ライン、第一スイッチ部品、第一画素電極、第二画素電極及び第三スイッチ部品に電気接続され、前記第三スイッチ部品はそれぞれ、走査ライン、第二スイッチ部品、第一画素電極、第四スイッチ部品及び共用電極ラインに電気接続され、前記第四スイッチ部品はそれぞれ、２Ｄ／３Ｄ転換制御信号ライン、第二画素電極、第三スイッチ部品及び共用電極ラインに電気接続され、
前記２Ｄと３Ｄ表示モードを兼備する液晶表示パネルの表示モードが２Ｄ表示モードであるとき、該２Ｄと３Ｄ表示モードを兼備する液晶表示パネルのリスト周波数は６０ＨＺであり、前記２Ｄ／３Ｄ転換制御信号ラインの信号は恒常的な低レベルであり、
前記２Ｄと３Ｄ表示モードを兼備する液晶表示パネルの表示モードがシャッター式３Ｄ表示モードであるとき、該２Ｄと３Ｄ表示モードを兼備する液晶表示パネルのリスト周波数は１２０ＨＺであり、各前記画素は左右目のデータフレームを交替に表示し、前記２Ｄ／３Ｄ転換制御信号ラインの信号は恒常的な低レベルであり、
前記２Ｄと３Ｄ表示モードを兼備する液晶表示パネルの表示モードが偏光式３Ｄ表示モードであるとき、該２Ｄと３Ｄ表示モードを兼備する液晶表示パネルのリスト周波数は１２０ＨＺであり、前記２Ｄ／３Ｄ転換制御信号ラインの信号が高レベルと低レベルを具備する方形信号であることにより、第四スイッチ部品をオンさせ、第二画素電極の電圧を下げ、第二表示区域が黒色を表示するようにすることによって遮蔽効果を奏する２Ｄと３Ｄ表示モードを兼備する液晶表示パネル。
【請求項７】
前記第一スイッチ部品は、第一制御端、第一入力端及び第一出力端を含み、前記第一制御端は走査ラインに電気接続され、前記第一入力端はデータラインに電気接続され、前記第一出力端はそれぞれ、第二スイッチ部品、第二画素電極に電気接続され、
前記第二スイッチ部品は、第二制御端、第二入力端及び第二出力端を含み、前記第二制御端は走査ラインに電気接続され、前記第二入力端はそれぞれ、第一出力端、第二画素電極に電気接続され、前記第二出力端はそれぞれ、第一画素電極、第三スイッチ部品に電気接続され、
前記第三スイッチ部品は、第三制御端、第三入力端及び第三出力端を含み、前記第三制御端は走査ラインに電気接続され、前記第三入力端はそれぞれ、第二出力端、第一画素電極に電気接続され、前記第三出力端はそれぞれ、第四スイッチ部品、共用電極ラインに電気接続され、
前記第四スイッチ部品は、第四制御端、第四入力端及び第四出力端を含み、前記第四制御端は２Ｄ／３Ｄ転換制御信号ラインに電気接続され、前記第四入力端は第二画素電極に電気接続され、前記第四出力端はそれぞれ、第三入力端、共用電極ラインに電気接続される請求項６に記載の２Ｄと３Ｄ表示モードを兼備する液晶表示パネル。
【請求項８】
前記第一〜第四スイッチ部品はそれぞれ、第一〜第四トランジスタであり、前記第一トランジスタは第一ゲート、第一ソース及び第一ドレインを含み、前記第二トランジスタは第二ゲート、第二ソース及び第二ドレインを含み、前記第三トランジスタは第三ゲート、第三ソース及び第三ドレインを含み、前記第四トランジスタは第四ゲート、第四ソース及び第四ドレインを含み、前記第一〜第四制御端はそれぞれ第一〜第四ゲートであり、前記第一〜第四入力端はそれぞれ第一〜第四ソースであり、前記第一〜第四出力端はそれぞれ第一〜第四ドレインである請求項７に記載の２Ｄと３Ｄ表示モードを兼備する液晶表示パネル。
【請求項９】
前記２Ｄと３Ｄ表示モードを兼備する液晶表示パネルは８ドメインを採用する請求項６に記載の２Ｄと３Ｄ表示モードを兼備する液晶表示パネル。
【請求項１０】
下記のステップを含む２Ｄと３Ｄ表示モードを兼備する表示方法であって、
ステップ１において、２Ｄと３Ｄ表示モードを兼備する液晶表示パネルを提供し、前記液晶表示パネルの作動モードは２Ｄ表示モードと３Ｄ表示モードを含み、該３Ｄ表示モードはシャッター式３Ｄ表示モードと偏光式３Ｄ表示モードを含み、前記液晶表示パネルは複数個の画素を含み、各画素は、データライン、走査ライン及び共用電極ラインを含み、前記データラインと走査ラインは画素表示区域を形成し、該画素表示区域は第一表示区域と第二表示区域を含み、該第一表示区域は第一画素電極を含み、前記第二表示区域は第二画素電極を含み、
ステップ２において、前記液晶表示パネルの表示モードが２Ｄ表示モードであるとき、該液晶表示パネルのリスト周波数は６０ＨＺであり、前記第一画素電極の電圧のサイズと第二画素電極の電圧のサイズが同時変化することにより、第一、第二表示区域は同じ画像を同時表示し、
ステップ３において、前記液晶表示パネルの表示モードがシャッター式３Ｄ表示モードであるとき、該液晶表示パネルのリスト周波数は１２０ＨＺであり、前記第一画素電極の電圧のサイズと第二画素電極の電圧のサイズが同時変化することにより、第一、第二表示区域は同じ画像を同時表示し、第一、第二表示区域で構成される画素表示区域は左右目のデータフレームを交替に表示し、
ステップ４において、前記液晶表示パネルの表示モードが偏光式３Ｄ表示モードであるとき、該液晶表示パネルのリスト周波数は１２０ＨＺであり、前記第一画素電極がデータラインのデータフレームによって充電されることにより、第一表示区域は画像を表示し、前記第二画素電極はデータラインのデータフレームによって充電され、充電後は前記画素の共用電極ラインに放電し、第二画素電極２８の電圧が降下し、第二表示区域がオフすることにより、第二表示区域は黒色を表示する２Ｄと３Ｄ表示モードを兼備する表示方法。
【請求項１１】
前記各画素は、基板、該基板上に配置される２Ｄ／３Ｄ転換制御信号ライン及び画素ユニットを含み、前記データライン、走査ライン及び共用電極ラインはいずれも、前記基板上に配置され、前記画素ユニットは、第一〜第四スイッチ部品と、第一画素電極と、該第一画素電極と並列に設けられる第二画素電極とを含み、前記第一スイッチ部品はそれぞれ、走査ライン、データライン、第二スイッチ部品及び第二画素電極に電気接続され、前記第二スイッチ部品はそれぞれ、走査ライン、第一スイッチ部品、第一画素電極、第二画素電極及び第三スイッチ部品に電気接続され、前記第三スイッチ部品はそれぞれ、走査ライン、第二スイッチ部品、第一画素電極、第四スイッチ部品及び共用電極ラインに電気接続され、前記第四スイッチ部品はそれぞれ、２Ｄ／３Ｄ転換制御信号ライン、第二画素電極、第三スイッチ部品及び共用電極ラインに電気接続され、
前記第一スイッチ部品は、第一制御端、第一入力端及び第一出力端を含み、前記第一制御端は走査ラインに電気接続され、前記第一入力端はデータラインに電気接続され、前記第一出力端はそれぞれ、第二スイッチ部品、第二画素電極に電気接続され、
前記第二スイッチ部品は、第二制御端、第二入力端及び第二出力端を含み、前記第二制御端は走査ラインに電気接続され、前記第二入力端はそれぞれ、第一出力端、第二画素電極に電気接続され、前記第二出力端はそれぞれ、第一画素電極、第三スイッチ部品に電気接続され、
前記第三スイッチ部品は、第三制御端、第三入力端及び第三出力端を含み、前記第三制御端は走査ラインに電気接続され、前記第三入力端はそれぞれ、第二出力端、第一画素電極に電気接続され、前記第三出力端はそれぞれ、第四スイッチ部品、共用電極ラインに電気接続され、
前記第四スイッチ部品は、第四制御端、第四入力端及び第四出力端を含み、前記第四制御端は２Ｄ／３Ｄ転換制御信号ラインに電気接続され、前記第四入力端は第二画素電極に電気接続され、前記第四出力端はそれぞれ、第三入力端、共用電極ラインに電気接続される請求項１０に記載の２Ｄと３Ｄ表示モードを兼備する表示方法。
【請求項１２】
前記ステップ２において、前記２Ｄ／３Ｄ転換制御信号ラインの信号は恒常的な低レベルであり、
前記ステップ３において、前記２Ｄ／３Ｄ転換制御信号ラインの信号は恒常的な低レベルであり、
前記ステップ４において、前記２Ｄ／３Ｄ転換制御信号ラインの信号は高レベルと低レベルを具備する方形信号であり、第二画素電極が充電された後、前記２Ｄ／３Ｄ転換制御信号ラインが提供する高レベルによって第四スイッチ部品をオンさせ、前記第二画素電極が共用電極ラインに放電するので、第二画素電極の電圧が降下し、第二表示区域がオフする請求項１１に記載の２Ｄと３Ｄ表示モードを兼備する表示方法。
【請求項１３】
前記第一〜第四スイッチ部品はそれぞれ、第一〜第四トランジスタであり、前記第一トランジスタは第一ゲート、第一ソース及び第一ドレインを含み、前記第二トランジスタは第二ゲート、第二ソース及び第二ドレインを含み、前記第三トランジスタは第三ゲート、第三ソース及び第三ドレインを含み、前記第四トランジスタは第四ゲート、第四ソース及び第四ドレインを含み、前記第一〜第四制御端はそれぞれ第一〜第四ゲートであり、前記第一〜第四入力端はそれぞれ第一〜第四ソースであり、前記第一〜第四出力端はそれぞれ第一〜第四ドレインである請求項１１に記載の２Ｄと３Ｄ表示モードを兼備する表示方法。
【請求項１４】
前記２Ｄと３Ｄ表示モードを兼備する液晶表示パネルは８ドメインを採用する請求項１０に記載の２Ｄと３Ｄ表示モードを兼備する表示方法。
【発明の詳細な説明】
【技術分野】
【０００１】
本発明は、液晶表示装置に関し、特に２Ｄと３Ｄ表示モードを兼備する液晶表示パネル及び表示方法に関するものである。
【背景技術】
【０００２】
液晶表示装置は、本体が薄く、省エネがよく、輻射がないという利点を有しているので、幅広く応用されている。現在市販されている液晶表示装置は通常、バックライト型液晶表示装置であり、液晶パネルとバックライトモジュール（backlight  module）を含む。液晶表示装置の作動原理は、平行の二枚のガラス基板の間に液晶分子を注入し、二枚のガラス基板に駆動電圧を印加して液晶分子の回転方向を制御することにより、バックライトモジュールから出射する光線で画面を形成することである。液晶パネル本体が発光することができないため、バックライトモジュールの光線を使用しなければ画像を正常に表示することができない。すなわち、バックライトモジュールは液晶表示装置の重要なモジュールである。バックライトモジュールは、光源の設置位置によってエッジ型バックライトモジュールと直下型バックライトモジュールに分けられる。直下型バックライトモジュールは、光源、例えばＣＣＦＬ（Cold  Cathode  Fluorescent  Lamp、冷陰極蛍光管）或いはＬＥＤ（Light  Emitting  Diode、発行ダイオード）を液晶パネルの直下に設けることにより、面光源を形成し、これを液晶パネルに提供する。エッジ型バックライトモジュールは、ＬＥＤライトバー（Lightbar）を液晶パネルの側面後方の辺縁部に設ける。ＬＥＤライトバーから出射する光線は、導光板（Light  Guide  Plate、ＬＧＰ）の一側の入光面から導光板内に入射し、反射と拡散を経て導光板の出光面から出射する。この後、光学フィルム組によって面光源を形成し、これを液晶パネルに提供する。
【０００３】
液晶表示技術の発展に伴って、３Ｄ液晶表示装置は注目を集めている。従来の技術において、通常２つの方法によって３Ｄ表示を実現する。１つは偏光式（Film-type  Patterned  Retarder、ＦＰＲ）３Ｄ技術であり、他の１つはシャッター式（Shutter  Glass、ＳＧ）３Ｄ技術である。
【０００４】
偏光式３Ｄ表示技術において、隣接する二行の画素がそれぞれ視聴者の左目と右目に対応することにより、左目に対応する左目画像と右目に対応する右目画像とが形成される。左目と右目に対応する左目画像と右目画像がそれぞれ視聴者の左目と右目に入るとき、視聴者の大脳が左目画像と右目画像を組み合わせるので、視聴者は３Ｄ表示効果を感じることができる。しかしながら、左目画像と右目画像との間に干渉が発生しやすいので、重畳された画像が視聴者に伝送され、画質に影響を与えるおそれがある。左目画像の信号と右目画像の信号との間に干渉が発生することを避けるため、隣接する二行の画素の間に形成された黒色マトリックス（Black  Matrix、ＢＭ）を遮蔽手段にすることにより、信号の干渉を防止し、左目画像と右目画像との間の干渉を低減することができる。
【０００５】
しかしながら、シャッター式３Ｄ技術において、隣接する二行の画素の間に黒色マトリックスを設けることができない。シャッター式３Ｄ技術は、主として、リスト周波数を向上させることにより３Ｄ表示効果を奏し、データフレームによって１つの画像を２つの画像に分けることにより左目と右目に対応する２つの画像を形成し、これらを交替に表示する。また、赤外線信号発信器が３Ｄテレビによってシャッター式３Ｄメガネの左右レンズを同時制御することにより、左目と右目が所定のタイミングに所定の画像を見るようにする。
【発明の概要】
【発明が解決しようとする課題】
【０００６】
本発明の目的は、配置された一本の２Ｄ／３Ｄ転換制御信号ラインによって各作動モードの間の変換を奏し、２Ｄ表示モード、シャッター式３Ｄ表示モード及び偏光式３Ｄ表示モードを兼備し、広視野角下の液晶表示パネルの色収差を改善し、広視野角下の良好な色収差を奏し、（液晶表示パネルの）開口率を増加させ、作動時のエネルギー消耗を低減し、開発コストを減少させることができる、２Ｄと３Ｄ表示モードを兼備する液晶表示パネルを提供することにある。
【０００７】
本発明の他の目的は、操作が簡単であり、２Ｄ表示モード、シャッター式３Ｄ表示モード及び偏光式３Ｄ表示モードを兼備し、広視野角下の液晶表示パネルの色収差を改善し、広視野角下の良好な色収差を奏し、（液晶表示パネルの）開口率を増加させ、作動時のエネルギー消耗を低減し、開発コストを減少させることができる、２Ｄと３Ｄ表示モードを兼備する表示方法を提供することにある。
【課題を解決するための手段】
【０００８】
上述した目的を実現するため、本発明は２Ｄと３Ｄ表示モードを兼備する液晶表示パネルを提供する。前記液晶表示パネルの作動モードは２Ｄ表示モードと３Ｄ表示モードを含み、該３Ｄ表示モードはシャッター式３Ｄ表示モードと偏光式３Ｄ表示モードを含む。前記液晶表示パネルは複数個の画素を含み、各画素は、基板と、該基板上に配置されるデータラインと、前記基板上に配置される走査ラインと、前記基板上に配置される共用電極ラインと、前記基板上に配置される２Ｄ／３Ｄ転換制御信号ライン及び画素ユニットとを含む。前記画素ユニットは、第一〜第四スイッチ部品と、第一画素電極と、該第一画素電極と並列に設けられる第二画素電極とを含み、前記第一スイッチ部品はそれぞれ、走査ライン、データライン、第二スイッチ部品及び第二画素電極に電気接続され、前記第二スイッチ部品はそれぞれ、走査ライン、第一スイッチ部品、第一画素電極、第二画素電極及び第三スイッチ部品に電気接続され、前記第三スイッチ部品はそれぞれ、走査ライン、第二スイッチ部品、第一画素電極、第四スイッチ部品及び共用電極ラインに電気接続され、前記第四スイッチ部品はそれぞれ、２Ｄ／３Ｄ転換制御信号ライン、第二画素電極、第三スイッチ部品及び共用電極ラインに電気接続される。
【０００９】
前記２Ｄと３Ｄ表示モードを兼備する液晶表示パネルの表示モードが２Ｄ表示モードであるとき、該２Ｄと３Ｄ表示モードを兼備する液晶表示パネルのリスト周波数は６０ＨＺであり、前記２Ｄ／３Ｄ転換制御信号ラインの信号は恒常的な低レベルである。
前記２Ｄと３Ｄ表示モードを兼備する液晶表示パネルの表示モードがシャッター式３Ｄ表示モードであるとき、該２Ｄと３Ｄ表示モードを兼備する液晶表示パネルのリスト周波数は１２０ＨＺであり、各前記画素は左右目のデータフレームを交替に表示し、前記２Ｄ／３Ｄ転換制御信号ラインの信号は恒常的な低レベルである。
前記２Ｄと３Ｄ表示モードを兼備する液晶表示パネルの表示モードが偏光式３Ｄ表示モードであるとき、該２Ｄと３Ｄ表示モードを兼備する液晶表示パネルのリスト周波数は１２０ＨＺであり、前記２Ｄ／３Ｄ転換制御信号ラインの信号が高レベルと低レベルを具備する方形信号であることにより、第四スイッチ部品をオンさせ、第二画素電極の電圧を下げ、かつ第二表示区域が黒色を表示するようにすることによって遮蔽効果を奏する。
【００１０】
前記第一スイッチ部品は、第一制御端、第一入力端及び第一出力端を含み、前記第一制御端は走査ラインに電気接続され、前記第一入力端はデータラインに電気接続され、前記第一出力端はそれぞれ、第二スイッチ部品、第二画素電極に電気接続される。
前記第二スイッチ部品は、第二制御端、第二入力端及び第二出力端を含み、前記第二制御端は走査ラインに電気接続され、前記第二入力端はそれぞれ、第一出力端、第二画素電極に電気接続され、前記第二出力端はそれぞれ、第一画素電極、第三スイッチ部品に電気接続される。
前記第三スイッチ部品は、第三制御端、第三入力端及び第三出力端を含み、前記第三制御端は走査ラインに電気接続され、前記第三入力端はそれぞれ、第二出力端、第一画素電極に電気接続され、前記第三出力端はそれぞれ、第四スイッチ部品、共用電極ラインに電気接続される。
前記第四スイッチ部品は、第四制御端、第四入力端及び第四出力端を含み、前記第四制御端は２Ｄ／３Ｄ転換制御信号ラインに電気接続され、前記第四入力端は第二画素電極に電気接続され、前記第四出力端はそれぞれ、第三入力端、共用電極ラインに電気接続される。
【００１１】
前記第一〜第四スイッチ部品はそれぞれ、第一〜第四トランジスタである。前記第一トランジスタは第一ゲート、第一ソース及び第一ドレインを含み、前記第二トランジスタは第二ゲート、第二ソース及び第二ドレインを含み、前記第三トランジスタは第三ゲート、第三ソース及び第三ドレインを含み、前記第四トランジスタは第四ゲート、第四ソース及び第四ドレインを含み、前記第一〜第四制御端はそれぞれ第一〜第四ゲートであり、前記第一〜第四入力端はそれぞれ第一〜第四ソースであり、前記第一〜第四出力端はそれぞれ第一〜第四ドレインである。
【００１２】
前記２Ｄと３Ｄ表示モードを兼備する液晶表示パネルは８ドメインを採用する。
【００１３】
本発明は、２Ｄと３Ｄ表示モードを兼備する液晶表示パネルを更に提供する。前記液晶表示パネルの作動モードは２Ｄ表示モードと３Ｄ表示モードを含み、該３Ｄ表示モードはシャッター式３Ｄ表示モードと偏光式３Ｄ表示モードを含み、前記液晶表示パネルは複数個の画素を含み、各画素は、基板と、該基板上に配置されるデータラインと、前記基板上に配置される走査ラインと、前記基板上に配置される共用電極ラインと、前記基板上に配置される２Ｄ／３Ｄ転換制御信号ライン及び画素ユニットとを含み、前記画素ユニットは、第一〜第四スイッチ部品と、第一画素電極と、該第一画素電極と並列に設けられる第二画素電極とを含み、前記第一スイッチ部品はそれぞれ、走査ライン、データライン、第二スイッチ部品及び第二画素電極に電気接続され、前記第二スイッチ部品はそれぞれ、走査ライン、第一スイッチ部品、第一画素電極、第二画素電極及び第三スイッチ部品に電気接続され、前記第三スイッチ部品はそれぞれ、走査ライン、第二スイッチ部品、第一画素電極、第四スイッチ部品及び共用電極ラインに電気接続され、前記第四スイッチ部品はそれぞれ、２Ｄ／３Ｄ転換制御信号ライン、第二画素電極、第三スイッチ部品及び共用電極ラインに電気接続される。
前記２Ｄと３Ｄ表示モードを兼備する液晶表示パネルの表示モードが２Ｄ表示モードであるとき、該２Ｄと３Ｄ表示モードを兼備する液晶表示パネルのリスト周波数は６０ＨＺであり、前記２Ｄ／３Ｄ転換制御信号ラインの信号は恒常的な低レベルである。
前記２Ｄと３Ｄ表示モードを兼備する液晶表示パネルの表示モードがシャッター式３Ｄ表示モードであるとき、該２Ｄと３Ｄ表示モードを兼備する液晶表示パネルのリスト周波数は１２０ＨＺであり、各前記画素は左右目のデータフレームを交替に表示し、前記２Ｄ／３Ｄ転換制御信号ラインの信号は恒常的な低レベルである。
前記２Ｄと３Ｄ表示モードを兼備する液晶表示パネルの表示モードが偏光式３Ｄ表示モードであるとき、該２Ｄと３Ｄ表示モードを兼備する液晶表示パネルのリスト周波数は１２０ＨＺであり、前記２Ｄ／３Ｄ転換制御信号ラインの信号が高レベルと低レベルを具備する方形信号であることにより、第四スイッチ部品をオンさせ、第二画素電極の電圧を下げ、第二表示区域が黒色を表示するようにすることによって遮蔽効果を奏する。
【００１４】
前記第一スイッチ部品は、第一制御端、第一入力端及び第一出力端を含み、前記第一制御端は走査ラインに電気接続され、前記第一入力端はデータラインに電気接続され、前記第一出力端はそれぞれ、第二スイッチ部品、第二画素電極に電気接続される。
前記第二スイッチ部品は、第二制御端、第二入力端及び第二出力端を含み、前記第二制御端は走査ラインに電気接続され、前記第二入力端はそれぞれ、第一出力端、第二画素電極に電気接続され、前記第二出力端はそれぞれ、第一画素電極、第三スイッチ部品に電気接続される。
前記第三スイッチ部品は、第三制御端、第三入力端及び第三出力端を含み、前記第三制御端は走査ラインに電気接続され、前記第三入力端はそれぞれ、第二出力端、第一画素電極に電気接続され、前記第三出力端はそれぞれ、第四スイッチ部品、共用電極ラインに電気接続される。
前記第四スイッチ部品は、第四制御端、第四入力端及び第四出力端を含み、前記第四制御端は２Ｄ／３Ｄ転換制御信号ラインに電気接続され、前記第四入力端は第二画素電極に電気接続され、前記第四出力端はそれぞれ、第三入力端、共用電極ラインに電気接続される。
【００１５】
前記第一〜第四スイッチ部品はそれぞれ、第一〜第四トランジスタであり、前記第一トランジスタは第一ゲート、第一ソース及び第一ドレインを含み、前記第二トランジスタは第二ゲート、第二ソース及び第二ドレインを含み、前記第三トランジスタは第三ゲート、第三ソース及び第三ドレインを含み、前記第四トランジスタは第四ゲート、第四ソース及び第四ドレインを含み、前記第一〜第四制御端はそれぞれ第一〜第四ゲートであり、前記第一〜第四入力端はそれぞれ第一〜第四ソースであり、前記第一〜第四出力端はそれぞれ第一〜第四ドレインである。
【００１６】
前記２Ｄと３Ｄ表示モードを兼備する液晶表示パネルは８ドメインを採用する。
【００１７】
本発明は２Ｄと３Ｄ表示モードを兼備する表示方法を更に提供する。該方法は下記のステップを含む。
ステップ１において、２Ｄと３Ｄ表示モードを兼備する液晶表示パネルを提供し、前記液晶表示パネルの作動モードは２Ｄ表示モードと３Ｄ表示モードを含み、該３Ｄ表示モードはシャッター式３Ｄ表示モードと偏光式３Ｄ表示モードを含み、前記液晶表示パネルは複数個の画素を含み、各画素は、データライン、走査ライン及び共用電極ラインを含み、前記データラインと走査ラインは画素表示区域を形成し、該画素表示区域は第一表示区域と第二表示区域を含み、該第一表示区域は第一画素電極を含み、前記第二表示区域は第二画素電極を含む。
ステップ２において、前記液晶表示パネルの表示モードが２Ｄ表示モードであるとき、該液晶表示パネルのリスト周波数は６０ＨＺであり、前記第一画素電極の電圧のサイズと第二画素電極の電圧のサイズが同時変化することにより、第一、第二表示区域は同じ画像を同時表示する。
ステップ３において、前記液晶表示パネルの表示モードがシャッター式３Ｄ表示モードであるとき、該液晶表示パネルのリスト周波数は１２０ＨＺであり、前記第一画素電極の電圧のサイズと第二画素電極の電圧のサイズが同時変化することにより、第一、第二表示区域は同じ画像を同時表示し、第一、第二表示区域で構成される画素表示区域は左右目のデータフレームを交替に表示する。
ステップ４において、前記液晶表示パネルの表示モードが偏光式３Ｄ表示モードであるとき、該液晶表示パネルのリスト周波数は１２０ＨＺであり、前記第一画素電極がデータラインのデータフレームによって充電されることにより、第一表示区域は画像を表示し、前記第二画素電極はデータラインのデータフレームによって充電され、充電後は前記画素の共用電極ラインに放電し、第二画素電極２８の電圧が降下し、第二表示区域がオフすることにより、第二表示区域は黒色を表示する。
【００１８】
前記各画素は、基板、該基板上に配置される２Ｄ／３Ｄ転換制御信号ライン及び画素ユニットを含み、前記データライン、走査ライン及び共用電極ラインはいずれも、前記基板上に配置され、前記画素ユニットは、第一〜第四スイッチ部品と、第一画素電極と、該第一画素電極と並列に設けられる第二画素電極とを含み、前記第一スイッチ部品はそれぞれ、走査ライン、データライン、第二スイッチ部品及び第二画素電極に電気接続され、前記第二スイッチ部品はそれぞれ、走査ライン、第一スイッチ部品、第一画素電極、第二画素電極及び第三スイッチ部品に電気接続され、前記第三スイッチ部品はそれぞれ、走査ライン、第二スイッチ部品、第一画素電極、第四スイッチ部品及び共用電極ラインに電気接続され、前記第四スイッチ部品はそれぞれ、２Ｄ／３Ｄ転換制御信号ライン、第二画素電極、第三スイッチ部品及び共用電極ラインに電気接続される。
前記第一スイッチ部品は、第一制御端、第一入力端及び第一出力端を含み、前記第一制御端は走査ラインに電気接続され、前記第一入力端はデータラインに電気接続され、前記第一出力端はそれぞれ、第二スイッチ部品、第二画素電極に電気接続される。
前記第二スイッチ部品は、第二制御端、第二入力端及び第二出力端を含み、前記第二制御端は走査ラインに電気接続され、前記第二入力端はそれぞれ、第一出力端、第二画素電極に電気接続され、前記第二出力端はそれぞれ、第一画素電極、第三スイッチ部品に電気接続される。
前記第三スイッチ部品は、第三制御端、第三入力端及び第三出力端を含み、前記第三制御端は走査ラインに電気接続され、前記第三入力端はそれぞれ、第二出力端、第一画素電極に電気接続され、前記第三出力端はそれぞれ、第四スイッチ部品、共用電極ラインに電気接続される。
前記第四スイッチ部品は、第四制御端、第四入力端及び第四出力端を含み、前記第四制御端は２Ｄ／３Ｄ転換制御信号ラインに電気接続され、前記第四入力端は第二画素電極に電気接続され、前記第四出力端はそれぞれ、第三入力端、共用電極ラインに電気接続される。
【００１９】
前記ステップ２において、前記２Ｄ／３Ｄ転換制御信号ラインの信号は恒常的な低レベルであり、
前記ステップ３において、前記２Ｄ／３Ｄ転換制御信号ラインの信号は恒常的な低レベルであり、
前記ステップ４において、前記２Ｄ／３Ｄ転換制御信号ラインの信号は高レベルと低レベルを具備する方形信号であり、第二画素電極が充電された後、前記２Ｄ／３Ｄ転換制御信号ラインが提供する高レベルによって第四スイッチ部品をオンさせ、前記第二画素電極が共用電極ラインに放電するので、第二画素電極の電圧が降下し、第二表示区域がオフする。
【００２０】
前記第一〜第四スイッチ部品はそれぞれ、第一〜第四トランジスタであり、前記第一トランジスタは第一ゲート、第一ソース及び第一ドレインを含み、前記第二トランジスタは第二ゲート、第二ソース及び第二ドレインを含み、前記第三トランジスタは第三ゲート、第三ソース及び第三ドレインを含み、前記第四トランジスタは第四ゲート、第四ソース及び第四ドレインを含み、前記第一〜第四制御端はそれぞれ第一〜第四ゲートであり、前記第一〜第四入力端はそれぞれ第一〜第四ソースであり、前記第一〜第四出力端はそれぞれ第一〜第四ドレインである。
【００２１】
前記２Ｄと３Ｄ表示モードを兼備する液晶表示パネルは８ドメインを採用する。
【発明の効果】
【００２２】
本発明の効果は次のとおりである。本発明の２Ｄと３Ｄ表示モードを兼備する液晶表示パネル及び表示方法は、一本の２Ｄ／３Ｄ転換制御信号ラインを配置し、該ラインの高低レベルを利用することにより、各作動モードの間の変換を奏し、２Ｄ表示モード、シャッター式３Ｄ表示モード及び偏光式３Ｄ表示モードを兼備することができる。また、前記２Ｄと３Ｄ表示モードを兼備する液晶表示パネルが８ドメインを採用することにより、液晶表示パネルの広視野角を実現するときの色収差を改善することができる。すなわち、本発明は広視野角下の色収差を改善するという効果を奏することができる。また、本発明は（液晶表示パネルの）開口率を増加させ、作動時のエネルギー消耗を低減し、開発コストを減少させることができる。
【００２３】
本発明の特徴及び技術事項をより詳細に理解してもらうため、以下、本発明の好適な実施例と図面により本発明を詳細に説明する。添付された図面は、本発明の技術事項を説明するためのものであるが、本発明を限定するものでない。
【図面の簡単な説明】
【００２４】
以下、図面により本発明の具体的な実施形態を詳細に説明することにより、本発明の技術事項と発明の効果を容易に理解するように示す。
【図１】本発明の２Ｄと３Ｄ表示モードを兼備する液晶表示パネルの画素構造を示す図である。
【図２】本発明の２Ｄと３Ｄ表示モードを兼備する液晶表示パネルの作動モードが２Ｄ表示モードであるとき、データライン、走査ライン及び２Ｄ／３Ｄ転換制御信号ラインの駆動信号を示すシーケンス図である。
【図３】本発明の２Ｄと３Ｄ表示モードを兼備する液晶表示パネルの作動モードがシャッター式３Ｄ表示モードであるとき、データライン、走査ライン及び２Ｄ／３Ｄ転換制御信号ラインの駆動信号を示すシーケンス図である。
【図４】本発明の２Ｄと３Ｄ表示モードを兼備する液晶表示パネルの作動モードが偏光式３Ｄ表示モードであるとき、データライン、走査ライン及び２Ｄ／３Ｄ転換制御信号ラインの駆動信号を示すシーケンス図である。
【図５】本発明の２Ｄと３Ｄ表示モードを兼備する表示方法を示す流れ図である。
【発明を実施するための形態】
【００２５】
本発明の技術事項及び発明の効果をより詳細に説明するため、以下本発明の好適な実施例及び図面により本発明を詳細に説明する。
【００２６】
図１を参照すると、本発明は２Ｄと３Ｄ表示モードを兼備する液晶表示パネルを提供する。前記液晶表示パネルの作動モードは２Ｄ表示モードと３Ｄ表示モードを含み、該３Ｄ表示モードはシャッター式３Ｄ表示モードと偏光式３Ｄ表示モードを含む。前記液晶表示パネルは複数個の画素１０を含み、各画素１０は、基板１２と、該基板１２上に配置されるデータライン１４と、前記基板１２上に配置される走査ライン１６と、前記基板１２上に配置される共用電極ライン１８と、前記基板１２上に配置される２Ｄ／３Ｄ転換制御信号ライン１９及び画素ユニット２０とを含む。前記画素ユニット２０は、第一〜第四スイッチ部品２１、２２、２３、２４と、第一画素電極２６と、該第一画素電極２６と並列に設けられる第二画素電極２８とを含む。前記第一スイッチ部品２１はそれぞれ、走査ライン１６、データライン１４、第二スイッチ部品２２及び第二画素電極２８に電気接続され、前記第二スイッチ部品２２はそれぞれ、走査ライン１６、第一スイッチ部品２１、第一画素電極２６、第二画素電極２８及び第三スイッチ部品２３に電気接続され、前記第三スイッチ部品２３はそれぞれ、走査ライン１６、第二スイッチ部品２２、第一画素電極２６、第四スイッチ部品２４及び共用電極ライン１８に電気接続され、前記第四スイッチ部品２４はそれぞれ、２Ｄ／３Ｄ転換制御信号ライン１９、第二画素電極２８、第三スイッチ部品２３及び共用電極ライン１８に電気接続される。上述した構造により、本発明は表示モードが異なる２Ｄ表示モードと３Ｄ表示モードを合わせることにより、各表示モードの広視野角を実現するとき色収差を改善することができる。
【００２７】
具体的に、前記第一スイッチ部品２１は、第一制御端、第一入力端及び第一出力端を含む。前記第一制御端は走査ライン１６に電気接続され、前記第一入力端はデータライン１４に電気接続され、前記第一出力端はそれぞれ、第二スイッチ部品２２、第二画素電極２８に電気接続される。前記第二スイッチ部品２２は、第二制御端、第二入力端及び第二出力端を含む。前記第二制御端は走査ライン１６に電気接続され、前記第二入力端はそれぞれ、第一出力端、第二画素電極２８に電気接続され、前記第二出力端はそれぞれ、第一画素電極２６、第三スイッチ部品２３に電気接続される。前記第三スイッチ部品２３は、第三制御端、第三入力端及び第三出力端を含む。前記第三制御端は走査ライン１６に電気接続され、前記第三入力端はそれぞれ、第二出力端、第一画素電極２６に電気接続され、前記第三出力端はそれぞれ、第四スイッチ部品２４、共用電極ライン１８に電気接続される。前記第四スイッチ部品２３は、第四制御端、第四入力端及び第四出力端を含む。前記第四制御端は２Ｄ／３Ｄ転換制御信号ライン１９に電気接続され、前記第四入力端は第二画素電極２８に電気接続され、前記第四出力端はそれぞれ、第三入力端、共用電極ライン１８に電気接続される。
【００２８】
本実施例において、前記第一〜第四スイッチ部品２１、２２、２３、２４はそれぞれ、第一〜第四トランジスタである。前記第一トランジスタは第一ゲート、第一ソース及び第一ドレインを含み、前記第二トランジスタは第二ゲート、第二ソース及び第二ドレインを含み、前記第三トランジスタは第三ゲート、第三ソース及び第三ドレインを含み、前記第四トランジスタは第四ゲート、第四ソース及び第四ドレインを含む。前記第一〜第四制御端はそれぞれ第一〜第四ゲートであり、前記第一〜第四入力端はそれぞれ第一〜第四ソースであり、前記第一〜第四出力端はそれぞれ第一〜第四ドレインである。
【００２９】
前記２Ｄと３Ｄ表示モードを兼備する液晶表示パネルが８ドメインを採用することにより、液晶表示パネルの広視野角を実現するときの色収差を改善することができる。前記第一画素電極２６のところには画素の第一表示区域が形成され、前記第二画素電極２８のところには画素の第二表示区域が形成される。
【００３０】
図２を参照する。前記２Ｄと３Ｄ表示モードを兼備する液晶表示パネルの表示モードが２Ｄ表示モードであるとき、該２Ｄと３Ｄ表示モードを兼備する液晶表示パネルのリスト周波数は６０ＨＺである。これによって液晶表示パネルの広視野角を実現するときの色収差を改善することができる。前記２Ｄ／３Ｄ転換制御信号ライン１９の信号は恒常的な低レベルであり、前記第四スイッチ部品２４はオフし、前記第二画素電極２８は正常に作動するとともに画像を表示する。
【００３１】
図３を参照する。前記２Ｄと３Ｄ表示モードを兼備する液晶表示パネルの表示モードがシャッター式３Ｄ表示モードであるとき、該２Ｄと３Ｄ表示モードを兼備する液晶表示パネルのリスト周波数は１２０ＨＺである。これによって液晶表示パネルの広視野角を実現するときの色収差を改善することができる。各前記画素１０が左右目のデータフレームを交替に表示することにより、３Ｄ表示効果を奏する。前記２Ｄ／３Ｄ転換制御信号ライン１９の信号は恒常的な低レベルであり、前記第四スイッチ部品２４がオフするとき、前記第二画素電極２８は正常に作動し、画像を表示する。
【００３２】
図４を参照する。前記２Ｄと３Ｄ表示モードを兼備する液晶表示パネルの表示モードが偏光式３Ｄ表示モードであるとき、該２Ｄと３Ｄ表示モードを兼備する液晶表示パネルのリスト周波数は１２０ＨＺである。前記２Ｄ／３Ｄ転換制御信号ライン１９の信号が高レベルと低レベルを具備する方形信号であることにより、第四スイッチ部品２４をオンさせ、前記第二画素電極２８の電圧を下げ、前記第二画素電極２８の充電後の迅速な放電を確保することができる。したがって、第二表示区域の液晶の原始状態を維持し、第二表示区域が黒色を表示するようにすることによって遮蔽効果を奏することができる。すなわち、第二表示区域はオフし、第一表示区域は１２０ＨＺのリスト周波数で画像を表示し、奇数のデータフレームと偶数のデータフレームは８ドメインのうちの４ドメインをそれぞれ表示する。偏光式３Ｄ表示モードにおいて、第一表示区域のみが画像を表示するので、タイムドメインの堆積方法によって広視野角を実現し、２つのデータフレームによって１つのデータフレームで構成されるべきである画面を表示する。すなわち、奇数のデータフレームと偶数のデータフレームは１つのデータフレームに属する画像信号によってサイズが異なる２種の電圧を提供し、タイムドメインの堆積方法によって３Ｄ表示モード下で広視野角を実現するときの色収差を改善することができる。すなわち、本発明は広視野角下の色収差を改善するという効果を奏することができる。また、偏光式３Ｄ表示モード下で、第二表示区域が黒色を表示するようにすることによって遮蔽効果を奏することができるので、隣接する二行の画素の間に黒色のマトリックスを形成する必要がない。すなわち、双眼の画像信号の間に干渉が発生することを避け、開発コストを減少させることができる。
【００３３】
注意されたいことは、本発明の２Ｄと３Ｄ表示モードを兼備する液晶表示パネルは、第一と第二表示区域を含む前記技術事項に限定されるものでない。例えば、１つの画素を３個或いはより多い複数個の表示区域に分け、１個或いは複数個の第四スイッチ部品で偏光式３Ｄ表示モード中の１個或いは複数個の表示区域をオフさせることにより、左右画像を形成して表示区域の間隔を表示することができる。
【００３４】
図１〜図５を参照すると、本発明の２Ｄと３Ｄ表示モードを兼備する表示方法は下記のステップを含む。
【００３５】
ステップ１において、２Ｄと３Ｄ表示モードを兼備する液晶表示パネルを提供する。前記液晶表示パネルの作動モードは２Ｄ表示モードと３Ｄ表示モードを含み、該３Ｄ表示モードはシャッター式３Ｄ表示モードと偏光式３Ｄ表示モードを含む。前記液晶表示パネルは複数個の画素１０を含み、各画素１０は、データライン１４、走査ライン１６及び共用電極ライン１８を含む。前記データライン１４と走査ライン１６は画素表示区域を形成し、該画素表示区域は第一表示区域と第二表示区域を含み、該第一表示区域は第一画素電極２６を含み、前記第二表示区域は第二画素電極２８を含む。
【００３６】
前記各画素１０は、基板１２、該基板１２上に配置される２Ｄ／３Ｄ転換制御信号ライン１９及び画素ユニット２０を含む。前記データライン１４、走査ライン１６及び共用電極ライン１８はいずれも、前記基板１２上に配置される。前記画素ユニット２０は、第一〜第四スイッチ部品２１、２２、２３、２４と、第一画素電極２６と、該第一画素電極２６と並列に設けられる第二画素電極２８とを含む。前記第一スイッチ部品２１はそれぞれ、走査ライン１６、データライン１４、第二スイッチ部品２２及び第二画素電極２８に電気接続され、前記第二スイッチ部品２２はそれぞれ、走査ライン１６、第一スイッチ部品２１、第一画素電極２６、第二画素電極２８及び第三スイッチ部品２３に電気接続され、前記第三スイッチ部品２３はそれぞれ、走査ライン１６、第二スイッチ部品２２、第一画素電極２６、第四スイッチ部品２４及び共用電極ライン１８に電気接続され、前記第四スイッチ部品２４はそれぞれ、２Ｄ／３Ｄ転換制御信号ライン１９、第二画素電極２８、第三スイッチ部品２３及び共用電極ライン１８に電気接続される。
【００３７】
前記第一スイッチ部品２１は、第一制御端、第一入力端及び第一出力端を含む。前記第一制御端は走査ライン１６に電気接続され、前記第一入力端はデータライン１４に電気接続され、前記第一出力端はそれぞれ、第二スイッチ部品２２、第二画素電極２８に電気接続される。前記第二スイッチ部品２２は、第二制御端、第二入力端及び第二出力端を含む。前記第二制御端は走査ライン１６に電気接続され、前記第二入力端はそれぞれ、第一出力端、第二画素電極２８に電気接続され、前記第二出力端はそれぞれ、第一画素電極２６、第三スイッチ部品２３に電気接続される。前記第三スイッチ部品２３は、第三制御端、第三入力端及び第三出力端を含む。前記第三制御端は走査ライン１６に電気接続され、前記第三入力端はそれぞれ、第二出力端、第一画素電極２６に電気接続され、前記第三出力端はそれぞれ、第四スイッチ部品２４、共用電極ライン１８に電気接続される。前記第四スイッチ部品２３は、第四制御端、第四入力端及び第四出力端を含む。前記第四制御端は２Ｄ／３Ｄ転換制御信号ライン１９に電気接続され、前記第四入力端は第二画素電極２８に電気接続され、前記第四出力端はそれぞれ、第三入力端、共用電極ライン１８に電気接続される。
【００３８】
本実施例において、前記第一〜第四スイッチ部品２１、２２、２３、２４はそれぞれ、第一〜第四トランジスタである。前記第一トランジスタは第一ゲート、第一ソース及び第一ドレインを含み、前記第二トランジスタは第二ゲート、第二ソース及び第二ドレインを含み、前記第三トランジスタは第三ゲート、第三ソース及び第三ドレインを含み、前記第四トランジスタは第四ゲート、第四ソース及び第四ドレインを含む。前記第一〜第四制御端はそれぞれ第一〜第四ゲートであり、前記第一〜第四入力端はそれぞれ第一〜第四ソースであり、前記第一〜第四出力端はそれぞれ第一〜第四ドレインである。
【００３９】
前記２Ｄと３Ｄ表示モードを兼備する液晶表示パネルは８ドメインを採用する。すなわち、１つの画素１０が８つの液晶配向を有することにより、液晶表示パネルの広視野角を実現するときの色収差を改善することができる。
【００４０】
ステップ２において、前記液晶表示パネルの表示モードが２Ｄ表示モードであるとき、該液晶表示パネルのリスト周波数を６０ＨＺにする。前記第一画素電極２６の電圧のサイズと第二画素電極２８の電圧のサイズが同時変化することにより、第一、第二表示区域は同じ画像を同時表示する。
【００４１】
前記ステップにおいて、前記２Ｄ／３Ｄ転換制御信号ライン１９の信号は恒常的な低レベルであり、前記第四スイッチ部品２４はオフし、前記第二画素電極２８が正常に作動することにより、第二表示区域は画像を表示する。
【００４２】
ステップ３において、前記液晶表示パネルの表示モードがシャッター式３Ｄ表示モードであるとき、該液晶表示パネルのリスト周波数を１２０ＨＺにする。前記第一画素電極２６の電圧のサイズと第二画素電極２８の電圧のサイズが同時変化することにより、第一、第二表示区域は同じ画像を同時表示し、第一、第二表示区域で構成される画素表示区域は左右目のデータフレームを交替に表示する。
【００４３】
前記ステップにおいて、各前記画素が左右目のデータフレームを交替に表示することにより、３Ｄ表示効果を奏することができる。前記２Ｄ／３Ｄ転換制御信号ライン１９の信号は恒常的な低レベルであり、前記第四スイッチ部品２４はオフし、前記第二画素電極２８が正常に作動することにより第二表示区域は画像を表示する。
【００４４】
ステップ４において、前記液晶表示パネルの表示モードが偏光式３Ｄ表示モードであるとき、該液晶表示パネルのリスト周波数を１２０ＨＺにする。前記第一画素電極２６がデータライン１４のデータフレームによって充電されることにより、第一表示区域は画像を表示する。前記第二画素電極２８はデータライン１４のデータフレームによって充電され、充電後は前記画素１０の共用電極ライン１８に放電する。第二画素電極２８の電圧が降下し、第二表示区域がオフすることにより、第二表示区域は黒色を表示する。
【００４５】
前記ステップにおいて、前記２Ｄ／３Ｄ転換制御信号ライン１９の信号が高レベルと低レベルを具備する方形信号であることにより、第四スイッチ部品２４をオンさせ、前記第二画素電極２８の電圧を下げ、前記第二画素電極２８の充電後の迅速な放電を確保することができる。したがって、第二表示区域の液晶の原始状態を維持し、第二表示区域が黒色を表示するようにすることによって遮蔽効果を奏することができる。すなわち、第二表示区域がオフして黒色マトリックスのような作用を奏することにより、第一表示区域は１２０ＨＺのリスト周波数で画像を表示し、奇数のデータフレームと偶数のデータフレームは８ドメインのうちの４ドメインをそれぞれ表示する。偏光式３Ｄ表示モードにおいて、第一表示区域のみが画像を表示するので、タイムドメインの堆積方法によって広視野角を実現し、２つのデータフレームによって１つのデータフレームで構成されるべきである画面を表示する。すなわち、奇数のデータフレームと偶数のデータフレームは１つのデータフレームに属する画像信号でサイズが異なる２種の電圧を提供し、タイムドメインの堆積方法によって３Ｄ表示モード下で広視野角を実現するときの色収差を改善することができる。すなわち、本発明は広視野角下の色収差を改善するという効果を奏することができる。また、偏光式３Ｄ表示モード下で、第二表示区域が黒色を表示するようにすることによって遮蔽効果を奏することができるので、隣接する二行の画素の間に黒色のマトリックスを形成する必要がない。すなわち、双眼の画像信号の間に干渉が発生することを避け、開発コストを減少させることができる。上述した表示方法により、本発明は、表示モードが異なる２Ｄ表示モードと３Ｄ表示モードを合わせ、各表示モードの広視野角を実現するとき色収差を改善し、開発コストを減少させることができる。
【００４６】
注意されたいことは、前記表示方法中の液晶表示パネルは、第一と第二表示区域を含む前記技術事項にのみ限定されるものでない。例えば、１つの画素を３個或いはより多い複数個の表示区域に分け、１個或いは複数個の第四スイッチ部品で偏光式３Ｄ表示モード中の１個或いは複数個の表示区域をオフさせることにより、左右画像を形成して表示区域の間隔を表示することができる。
【００４７】
上述したとおり、本発明の２Ｄと３Ｄ表示モードを兼備する液晶表示パネル及び表示方法は、一本の２Ｄ／３Ｄ転換制御信号ラインを配置し、該ラインの高低レベルを利用することにより各作動モードの間の変換を奏し、２Ｄ表示モード、シャッター式３Ｄ表示モード及び偏光式３Ｄ表示モードを兼備することができる。また、前記２Ｄと３Ｄ表示モードを兼備する液晶表示パネルが８ドメインを採用することにより、液晶表示パネルの広視野角を実現するときの色収差を改善することができる。すなわち、本発明は広視野角下の色収差を改善するという効果を奏することができる。また、本発明は（液晶表示パネルの）開口率を増加させ、作動時のエネルギー消耗を低減し、開発コストを減少させることができる。
【００４８】
本技術分野の技術者は、本発明の技術的要旨と技術的範囲を逸脱しない範囲内で色々な設計上の変更と変形を行うことができる。また、このような変更と変形があっても本発明の特許請求の範囲に含まれることは勿論である。
【図１】
2016539367.tif 000003
【図２】
2016539367.tif 000004
【図３】
2016539367.tif 000005
【図４】
2016539367.tif 000006
【図５】
2016539367.tif 000007
【国際調査報告】
2016539367.tif 000008
2016539367.tif 000009
2016539367.tif 000010
2016539367.tif 000011